(57)【特許請求の範囲】
【請求項１】
内部にキャビティを有するコネクタハウジングと、
電線の芯線に端子金具の電線接続部を導通可能に接続して構成され、前記キャビティ内に挿入された電線付き端子金具と、
前記コネクタハウジングの外面から前記キャビティ内まで前記電線付き端子金具の挿入方向と交差する方向に貫通し、前記電線付き端子金具が前記キャビティに挿入された状態において前記芯線と前記電線接続部との接触領域と対応するように開口する注入孔と、
前記ハウジングの外部から前記注入孔を通して前記キャビティ内に注入されることにより、前記電線付き端子金具に対し、少なくとも前記芯線と前記電線接続部との接触領域を含むように塗布された防食用液剤とを備えていることを特徴とするコネクタ。
【請求項２】
前記コネクタハウジングは、
前記キャビティ内の前記電線付き端子金具に係止して前記電線付き端子金具を抜止めする係止位置と、前記電線付き端子金具への係止を解除する解離位置との間で変位可能なリテーナと、
前記リテーナを収容可能であって、前記芯線と前記電線接続部との接触領域に臨む収容空間とを有しており、
前記注入孔が前記収容空間内に連通して形成されていることを特徴とする請求項１記載のコネクタ。
【請求項３】
前記リテーナが解離位置に変位した状態では、前記リテーナが前記キャビティ外へ退避することで前記キャビティに対する前記電線付き端子金具の挿入動作が許容されるようになっており、
前記注入孔が、前記リテーナの内面に開口するように形成されていることを特徴とする請求項２記載のコネクタ。
【請求項４】
前記リテーナは、前記キャビティが形成されたハウジング本体に対して可撓性を有するヒンジを介して繋がっており、
前記注入孔は、前記ヒンジの一部を切欠した形態であることを特徴とする請求項２又は請求項３に記載のコネクタ。
【請求項５】
前記端子金具は、前記電線接続部よりも前方に相手側端子に接続される端子接続部を有しており、
前記リテーナには、前記防食用液剤が前記端子接続部側へ流動するのを規制可能な規制部が形成されていることを特徴とする請求項２ないし請求項４のいずれか１項に記載のコネクタ。
【発明の詳細な説明】
【技術分野】
【０００１】
本発明は、コネクタに関するものである。
【背景技術】
【０００２】
特許文献１には、角筒状をなす端子接続部とオープンバレル状をなす電線接続部とを備えた端子金具と、芯線が端子金具とは異種金属からなる電線とを備えて構成され、電線接続部に、電線が包囲された状態で圧着により接続されている電線付き端子金具が開示されている。
【０００３】
電線接続部は、電線のうち前端部の絶縁被覆を除去して露出させた芯線が圧着されるワイヤバレル部と、電線のうち絶縁被覆で覆われている部分が圧着させるインシュレーションバレル部とから構成され、インシュレーションバレル部の後端からは、電線の絶縁被覆で覆われている部分が後方へ導出されている。
【０００４】
このように電線の芯線と端子金具が異種金属である場合には、芯線とワイヤバレル部との接触部分における電食の発生を防止する必要がある。電食防止手段の１つとして、少なくとも芯線とワイヤバレル部との接触部分を覆うように防食用液剤を塗布する方法が考えられる。
【先行技術文献】
【特許文献】
【０００５】
【特許文献１】特開２００７−３０５３５６号公報
【発明の概要】
【発明が解決しようとする課題】
【０００６】
防食用液剤としては、塗布した後に固化するタイプのものと、塗布後も固化せずにペースト状の状態を保つタイプのものとがあるが、後者のタイプの防食用液剤を塗布した場合、塗布済みの電線付き端子金具を摘んでコネクタハウジングのキャビティ内に挿入する際に、防食用液剤が作業者の手に付着し、その後の作業に支障を来すことが懸念される。
【０００７】
この対策としては、電線付き端子金具をキャビティに挿入した後に、コネクタハウジングの外部から防食用液剤を注入する方法が考えられる。しかし、キャビティと端子金具との隙間は、端子金具のガタ付きを防止するために狭く設定されているため、この狭い隙間を通して防食用液剤を注入することは困難である。
【０００８】
本発明は上記のような事情に基づいて完成されたものであって、コネクタハウジング内に挿入済みの電線付き端子金具に防食用液剤を塗布する作業を、容易に行えるようにすることを目的とする。
【課題を解決するための手段】
【０００９】
上記の目的を達成するための手段として、請求項１の発明は、内部にキャビティを有するコネクタハウジングと、電線の芯線に端子金具の電線接続部を導通可能に接続して構成され、前記キャビティ内に挿入された電線付き端子金具と、前記コネクタハウジングの外面から前記キャビティ内まで前記電線付き端子金具の挿入方向と交差する方向に貫通し、前記電線付き端子金具が前記キャビティに挿入された状態において前記芯線と前記電線接続部との接触領域と対応するように開口する注入孔と、前記ハウジングの外部から前記注入孔を通して前記キャビティ内に注入されることにより、前記電線付き端子金具に対し、少なくとも前記芯線と前記電線接続部との接触領域を含むように塗布された防食用液剤とを備えているところに特徴を有する。
【００１０】
請求項２の発明は、請求項１に記載のものにおいて、前記コネクタハウジングは、前記キャビティ内の前記電線付き端子金具に係止して前記電線付き端子金具を抜止めする係止位置と、前記電線付き端子金具への係止を解除する解離位置との間で変位可能なリテーナと、前記リテーナを収容可能であって、前記芯線と前記電線接続部との接触領域に臨む収容空間とを有しており、前記注入孔が前記収容空間内に連通して形成されているところに特徴を有する。
【００１１】
請求項３の発明は、請求項２に記載のものにおいて、前記リテーナが解離位置に変位した状態では、前記リテーナが前記キャビティ外へ退避することで前記キャビティに対する前記電線付き端子金具の挿入動作が許容されるようになっており、前記注入孔が、前記リテーナの内面に開口するように形成されているところに特徴を有する。
【００１２】
請求項４の発明は、請求項２又は請求項３に記載のものにおいて、前記リテーナは、前記キャビティが形成されたハウジング本体に対して可撓性を有するヒンジを介して繋がっており、前記注入孔は、前記ヒンジの一部を切欠した形態であるところに特徴を有する。
【００１３】
請求項５の発明は、請求項２ないし請求項４のいずれかに記載のものにおいて、前記端子金具は、前記電線接続部よりも前方に相手側端子に接続される端子接続部を有しており、前記リテーナには、前記防食用液剤が前記端子接続部側へ流動するのを規制可能な規制部が形成されているところに特徴を有する。
【発明の効果】
【００１４】
＜請求項１の発明＞
防食用液剤は、電線付き端子金具をキャビティに挿入した後、注入孔から芯線と電線接続部との接触領域に塗布することができる。注入孔は、キャビティにおける電線付き端子金具の挿入口とは別に、電線付き端子金具の挿入方向と交差する方向に貫通させているので、電線付き端子金具とキャビティとの間のクリアランスが狭くても注入孔の開口面積を大きく確保することができる。したがって、防食用液剤を塗布する作業を容易に行うことができる。
【００１５】
＜請求項２の発明＞
リテーナの収容空間を防食用液剤の注入経路の一部として兼用させているので、防食用液剤の注入経路の全体を収容空間とは別個に形成する場合に比べると、コネクタハウジング内の形状の簡素化を図ることができる。
【００１６】
＜請求項３の発明＞
注入孔をコネクタハウジングのうちリテーナ以外の部分に形成し、キャビティの内壁に注入孔を開口させた場合、キャビティの電線付き端子金具を挿入するときに注入孔の開口縁に端子金具が干渉することが懸念される。そこで、本発明では、電線付き端子金具をキャビティに挿入する際にはリテーナがキャビティ外へ退避することに着目し、注入孔をリテーナの内面に開口するように形成した。これにより、注入孔の開口縁に端子金具が干渉することを防止できる。
【００１７】
＜請求項４の発明＞
注入孔によってヒンジの一部が切欠されているので、ヒンジの剛性が低く抑えられる。これにより、係止位置へ変位させたヒンジが解離位置へ戻るのを防止することができる。
【００１８】
＜請求項５の発明＞
芯線と電線接続部との接触領域に塗布した防食用液剤が端子接続部に向かって流れても、防食用液剤の端子接続部への侵入は規制部によって阻止される。
【図面の簡単な説明】
【００１９】
【図１】実施形態１においてリテーナを係止位置に変位させた状態をあらわす断面図
【図２】リテーナが解離位置にある状態のコネクタハウジングの断面図
【図３】リテーナが解離位置にある状態のコネクタハウジングの底面図
【図４】リテーナが解離位置にある状態のコネクタハウジングの背面図
【図５】リテーナの規制部が端子金具の収容凹部に嵌合している状態をあらわす部分拡大断面図
【発明を実施するための形態】
【００２０】
＜実施形態１＞
以下、本発明を具体化した実施形態１を図１乃至図５を参照して説明する。本実施形態のコネクタは、コネクタハウジング１０と、コネクタハウジング１０内に挿入される電線付き端子金具３０とを備えて構成されている。電線付き端子金具３０には、電線４０と端子金具３１との接触部分における電食の発生を防止するための防食用液剤４５が塗布されているが、コネクタハウジング１０内に挿入済みの電線付き端子金具３０に防食用液剤４５を塗布する作業は、容易に行えるようになっている。
【００２１】
コネクタハウジング１０は、合成樹脂製であり、全体としてブロック状をなすハウジング本体１１と、ハウジング本体１１に対し相対変位可能なリテーナ１６とを一体に形成して構成されている。ハウジング本体１１内には、前後方向に貫通した形態のキャビティ１２が、左右方向に並んで形成されている。ハウジング本体１１の前端部には、端子金具３１の前端部を保持するためのフロント部材（図示省略）が組み付けられるようになっている。また、キャビティ１２の後端の開口は、電線付き端子金具３０をキャビティ１２に挿入するための挿入口１３となっている。各キャビティ１２内には、その内壁に沿って前方へ片持ち状に延出した形態の弾性撓み可能なランス１４が形成されている。
【００２２】
ハウジング本体１１には、その外面（下面）から各キャビティ１２内に連通する複数の収容空間１５が形成され、この複数の収容空間１５には、リテーナ１６に形成された複数の抜止部１８が収容されるようになっている。リテーナ１６は、平坦な板状部１７と、板状部１７の上面から突出する複数の抜止部１８と、各抜止部１８から板状部１７とは反対側へ突出した規制部１９とを一体に形成したものである。リテーナ１６は、板状部１７の後端縁においてヒンジ２０を介してハウジング本体１１の外面に連なっている。
【００２３】
金型成型したコネクタハウジング１０を金型から離型した状態では、リテーナ１６は、ヒンジ２０の剛性により解離位置（図２〜４を参照）に保持されている。リテーナ１６が解離位置にある状態では、板状部１７がキャビティ１２に対する電線付き端子金具３０の挿入方向に対して斜めの姿勢（ヒンジ２０から斜め下前方へ延出した姿勢）となり、抜止部１８が板状部１７の前下がりの上面から上方へ突出している。そして、抜止部１８と規制部１９と板状部１７の全体を含むリテーナ１６は、ハウジング本体１１の外面（下面）よりも下方に位置している。つまり、解離位置のリテーナ１６は、キャビティ１２の外部（キャビティ１２に対する電線付き端子金具３０の挿入経路の外部）へ退避している。これにより、キャビティ１２に対する電線付き端子金具３０の挿入動作が許容される。
【００２４】
解離位置のリテーナ１６は、ヒンジ２０を変形させながら、ヒンジ２０を支点として係止位置（図１を参照）に変位させることができるようになっている。リテーナ１６が係止位置にある状態では、板状部１７が水平な姿勢（キャビティ１２に対する電線付き端子金具３０の挿入方向と平行な姿勢）となり、抜止部１８の突出端部と規制部１９がキャビティ１２の内部に進出し、抜止部１８は端子金具３１に係止して電線付き端子金具３０を抜止めするとともに、規制部１９が防食用液剤４５の不正な流動を阻止するようになっている。
【００２５】
コネクタハウジング１０には、各キャビティ１２内に挿入されている電線付き端子金具３０に対し個別に防食用液剤４５を塗布するための注入孔２１が、各キャビティ１２と対応するように複数形成されている。各注入孔２１は、コネクタハウジング１０の外面（下面）からキャビティ１２内まで電線付き端子金具３０の挿入方向（前後方向）に対して斜めに交差する方向（斜め上前向き）に貫通し、芯線４１と電線接続部３４との接触領域と対応するように開口している。注入孔２１は、ハウジング本体１１を切欠するのではなく、リテーナ１６とヒンジ２０を部分的に切欠した形態となっている。
【００２６】
注入孔２１は、板状部１７の後端部とヒンジ２０とを貫通するとともに、抜止部１８の後面を溝状に切欠した形態である。コネクタハウジング１０の外面における注入孔２１の外部開口２１Ａは、板状部１７の外面（下面）の後端部及びヒンジ２０を切欠した形態であり、キャビティ１２と対向する側（リテーナ１６の内面側）における注入孔２１の内部開口２１Ｂは、抜止部１８の後端部及びヒンジ２０を切欠した形態となっている。リテーナ１６が係止位置にある状態においては、注入孔２１の貫通方向は斜め上前方（つまり、キャビティ１２に対する電線付き端子金具３０の挿入方向に対して斜め方向）となっており、注入孔２１は収容空間１５とキャビティ１２に連通している。
【００２７】
ハウジング本体１１には、その外面（下面）を前後方向に切欠した形態の複数のガイド溝２２が形成されている。ガイド溝２２の前端は、ヒンジ２０の外面（下面）における注入孔２１の外部開口２１Ａに連なり、ガイド溝２２の後端はハウジング本体１１の後端面に開口している。ガイド溝２２の溝幅と注入孔２１の開口の幅は、同じ寸法である。
【００２８】
また、ハウジング本体１１には、キャビティ１２の底面壁の後端部を切欠した形態であって、キャビティ１２とガイド溝２２とを連通させる連通空間２３が形成されている。連通空間２３は、ハウジング本体１１の後端面に開口しているとともに、収容空間１５にも連通し、更にリテーナ１６が係止位置にあるときには注入孔２１にも連通している。
【００２９】
電線付き端子金具３０は、端子金具３１と、端子金具３１の後端部に導通可能に接続された電線４０とを備えて構成されている。端子金具３１は、銅又は銅合金からなり、所定の形状に打ち抜いた金属板材に曲げ加工等を施すことによって所定の形状に成形した単一部品である。端子金具３１は、端子接続部３２と電線接続部３４と連結部３５とを有しており、全体として前後方向に細長い雌形の端子である。
【００３０】
端子接続部３２は、角筒状をなす周知の形態のものであり、端子金具３１の前端部に配置されている。端子接続部３２の内部には弾性接触片３３が設けられており、前方から端子接続部３２内に挿入された雄形の相手側端子（図示省略）は、弾性接触片３３と端子接続部３２の内面壁との間で弾性的に上下に挟み付けられ、もって、相手側端子と端子金具３１とが導通可能に接続されるようになっている。
【００３１】
電線接続部３４は、オープンバレル状をなす周知の形態のものであり、端子金具３１の後端部に配置されている。電線接続部３４の前端側領域はワイヤバレル部３４Ｆとなっており、後端側領域はインシュレーションバレル部３４Ｒとなっている。ワイヤバレル部３４Ｆは、基底部の左右両側縁から一対の前部カシメ片を延出した周知の形態であり、インシュレーションバレル部３４Ｒは、ワイヤバレル部３４Ｆと共有する基底部の左右両側縁から一対の後部カシメ片を延出した周知の形態である。
【００３２】
連結部３５は、前後方向に細長い基板部の両側縁から、前後方向に細長い一対の側板部を略直角に延出させた周知の形態であって、全体として箱状をなしている。連結部３５内には、下面側及び前後両端面側に開放された収容凹部３６が構成され、この収容凹部３６内にはリテーナ１６の規制部１９が嵌入されるようになっている。連結部３５は、端子接続部３２の後端部と電線接続部３４（ワイヤバレル部３４Ｆ）の前端部とに連なっている。即ち、基板部の前端は端子接続部３２の底面壁の後端に対して面一状に連なっており、基板部の後端は電線接続部３４の基底部の前端に対して面一状に連なっている。また、側板部の前端は端子接続部３２の側面壁の後端に対して面一状に連なっており、側板部の後端はワイヤバレル部３４Ｆの前部カシメ片の前端に対して面一状に連なっている。
【００３３】
基板部からの側板部の延出寸法（図１における上下方向の寸法）は、端子接続部３２の側面壁の高さ寸法よりも小さい。これにより、側方（電線付き端子金具３０の挿入方向と交差する方向）から見たときに、端子接続部３２の後端部と連結部３５の前端部とは段差状をなしている。この段差形状により、端子接続部３２の後端部には係止部３７が形成されている。この係止部３７には、リテーナ１６の抜止部１８が後方から係止するようになっている。
【００３４】
電線４０は、端子金具３１とは異なる金属、即ちアルミニウム又はアルミニウム合金からなる複数本の素線（図示省略）を撚り合わせた芯線４１を、絶縁被覆４２で包囲した周知の形態のものである。電線４０の前端部は、絶縁被覆４２が除去されて芯線４１が露出された状態となっている。かかる電線４０の前端部は、電線接続部３４に圧着により接続されている。圧着に際しては、ワイヤバレル部３４Ｆを芯線４１に巻き付けて包囲するようにしてカシメ付けると同時に、インシュレーションバレル部３４Ｒを電線４０のうち絶縁被覆４２で覆われている部分の前端部領域に巻き付けて包囲するようにしてカシメ付ける。このようにして圧着されることにより、芯線４１と電線接続部３４とが導通可能に固着されるとともに、絶縁被覆４２が覆われている部分が電線接続部３４に対して移動規制された状態で固着される。
【００３５】
電線４０と電線接続部３４とを圧着接続した状態では、芯線４１の露出部分の長さはワイヤバレル部３４Ｆよりも長く、芯線４１の露出部分の前端部は、ワイヤバレル部３４Ｆの前方へ露出して連結部３５の収容凹部３６内に収容されており、芯線４１の露出部分の後端部は、ワイヤバレル部３４Ｆよりも後方であってインシュレーションバレル部３４Ｒよりも前方の領域で露出している。電線４０のうち絶縁被覆４２で覆われている部分の前端部は、インシュレーションバレル部３４Ｒの前端よりも前方に露出しており、電線４０における芯線４１の露出部分と絶縁被覆４２で覆われている部分との境界は、ワイヤバレル部３４Ｆとインシュレーションバレル部３４Ｒとの間に位置している。また、インシュレーションバレル部３４Ｒ（端子金具３１）の後端からは、電線４０の絶縁被覆４２で覆われている部分が後方へ導出されている。
【００３６】
電線接続部３４（ワイヤバレル部３４Ｆ）と電線４０との接続部分においては、芯線４１と電線接続部３４とが異種金属であるため、芯線４１とワイヤバレル部３４Ｆとの接触部分に水がかかると、その接触部分に電食が生じる虞がある。そのため、電食防止の対策として、芯線４１のうち露出している部分の少なくとも全体（電線接続部３４との圧着部を含む）は防食用液剤４５で覆われている。防食用液剤４５としては、塗布後もペースト状態を保つものや、塗布後に固化するものや、常温よりも高い温度にすると粘度が低いが常温では粘度が高くなる性質のもの等を用いることができる。芯線４１に塗布された防食用液剤４５は、素線のうち芯線４１の外周面に露出しているものの外面を液密状に覆い、素線間の隙間に浸入して素線間を液密状にシールし、さらに芯線４１とワイヤバレル部３４Ｆとの隙間に浸入して芯線４１とワイヤバレル部３４Ｆとの間を液密状にシールする。
【００３７】
次に、本実施形態のコネクタの製造工程を説明する。製造に際しては、まず、リテーナ１６を解離位置に保持した状態で、電線付き端子金具３０を挿入口１３からキャビティ１２内に挿入し、ランス１４の係止作用により電線付き端子金具３０を抜止め状態とする。この状態では、芯線４１とワイヤバレル部３４Ｆとの接触領域が、収容空間１５と注入孔２１に臨むように位置する。
【００３８】
次に、解離位置にあるリテーナ１６を係止位置へ変位させる。すると、抜止部１８が端子金具３１の係止部３７に係止することにより、電線付き端子金具３０が後方への移動を規制させた状態に抜止めされる。また、図５に示すように、規制部１９が、芯線４１の前端よりも前方の位置において連結部３５の収容凹部３６内に大きな隙間を空けずに嵌合する。この規制部１９により、端子接続部３２の内部空間と芯線４１側の空間とが隔絶される。
【００３９】
この後、コネクタを上下反転させ、防食用液剤４５が充填されている注入器のノズル（図示省略）を斜め後方から注入孔２１に差し込み、そのノズルからキャビティ１２内に防食用液剤４５を注入する。このとき、ノズルをガイド溝２２に嵌めて前方へスライドさせると、ノズルを注入孔２１内に案内することができるので、作業性が向上する。そして、ノズルを注入孔２１内に差し込んだ状態で、そのノズルから防食用液剤４５を芯線４１の露出部分に向けて吐出する。これにより、防食用液剤４５が芯線４１の露出部分全体を覆うように塗布される。
【００４０】
また、芯線４１の露出部分とワイヤバレル部３４Ｆが前後方向に細長いのに対し、注入孔２１の開口はワイヤバレル部３４Ｆの前端部を指向しているのであるが、注入孔２１の後方においては、ハウジング本体１１の外面とキャビティ１２の内部とが、ガイド溝２２と連通空間２３を介して連通している。したがって、ノズルをガイド溝２２と連通空間２３内で後方へ移動させることにより、芯線４１の露出部分及びワイヤバレル部３４Ｆの全体に対して確実に防食用液剤４５を塗布することができる。
【００４１】
また、注入孔２１から防食用液剤４５をキャビティ１２内に注入したときに、防食用液剤４５の一部が芯線４１よりも前方へ流動することが懸念される。しかし、本実施形態では、収容凹部３６内における芯線４１よりも前方の位置に規制部１９を配置し、芯線４１側における防食用液剤４５の注入領域と、端子接続部３２の内部空間との間を仕切っているので、防食用液剤４５が端子接続部３２の内部に浸入する虞はない。
【００４２】
上述のように本実施形態のコネクタは、コネクタハウジング１０の外面からキャビティ１２内まで電線付き端子金具３０の挿入方向と交差する方向に貫通して、芯線４１と電線接続部３４との接触領域と対応するように開口する注入孔２１を備えているので、防食用液剤４５は、電線付き端子金具３０をキャビティ１２に挿入した後で、注入孔２１から芯線４１と電線接続部３４との接触領域に塗布することができる。
【００４３】
この注入孔２１は、キャビティ１２における電線付き端子金具３０の挿入口１３とは別に、電線付き端子金具３０の挿入方向と交差する方向に貫通させているので、電線付き端子金具３０とキャビティ１２との間のクリアランスが狭くても注入孔２１の開口面積を大きく確保することができる。したがって、防食用液剤４５を塗布する作業を容易に行うことができる。
【００４４】
また、リテーナ１６の収容空間１５を防食用液剤４５の注入経路の一部として兼用させているので、防食用液剤の注入経路の全体を収容空間とは別個に形成する場合に比べると、コネクタハウジング１０内の形状の簡素化を図ることができる。
【００４５】
また、注入孔を、コネクタハウジング１０のうちリテーナ１６以外の部分に形成し、キャビティ１２の内壁に注入孔を開口させた場合には、キャビティ１２の電線付き端子金具３０を挿入するときに注入孔の開口縁に端子金具３１が干渉することが懸念される。そこで、本実施形態では、電線付き端子金具３０をキャビティ１２に挿入する際にはリテーナ１６がキャビティ１２外へ退避することに着目し、注入孔２１の内部開口２１Ｂをリテーナ１６の内面に開口するように形成した。これにより、注入孔２１の開口縁に端子金具３１が干渉することを防止できる。しかも、リテーナ１６の一部は、注入孔２１の形成に伴って肉抜きされるので、リテーナ１６がヒケが原因となって変形することを防止することもできる。
【００４６】
また、リテーナ１６が、ハウジング本体１１に対して可撓性を有するヒンジ２０を介して繋がっている点に着目し、注入孔２１をヒンジ２０の一部を切欠した形態とした。これにより、ヒンジ２０の剛性が低く抑えられるので、係止位置へ変位させたヒンジ２０が解離位置へ戻るのを防止することができる。
【００４７】
＜他の実施形態＞
本発明は上記記述及び図面によって説明した実施形態に限定されるものではなく、例えば次のような実施形態も本発明の技術的範囲に含まれる。
（１）上記実施形態では、コネクタハウジングがリテーナを有する場合について説明したが、本発明は、コネクタハウジングがリテーナを有しない場合にも適用できる。
（２）上記実施形態では、注入孔がリテーナの内面に開口する形態としたが、注入孔はリテーナの内面に開口せず、キャビティの内壁に開口する形態であってもよい。
（３）上記実施形態では、リテーナがハウジング本体に対してヒンジを介して連結されている場合について説明したが、本発明は、リテーナがハウジング本体とは別体の部品である場合にも適用できる。
（４）上記実施形態では、注入孔が、ヒンジの一部を切欠する形態となつているが、注入孔は、リテーナのうちヒンジを含まない部分（ヒンジから外れた部分）を切欠する形態であってもよい。
（５）上記実施形態では、注入孔が、防食用液剤を斜め後方から注入するように形成したが、注入孔は、防食用液剤を斜め前方から注入するように形成してもよい。
（６）上記実施形態では、注入孔が、防食用液剤を電線付き端子金具の挿入方向に対して斜め方向に注入するように形成したが、注入孔は、防食用液剤を電線付き端子金具の挿入方向と直角な方向に注入するように形成してもよい。
（７）上記実施形態では、防食用液剤が端子接続部に侵入するのを規制するための規制部をリテーナに形成したが、リテーナに規制部を形成しない形態としてもよい。
（８）上記実施形態では、リテーナを端子接続部の後端縁に係止させるようにしたが、端子金具におけるリテーナの係止対象は、端子接続部以外の部分（例えば、端子金具の不正な姿勢での挿入を規制するためのスタビライザ）であってもよい。
（９）上記実施形態では、電線の芯線と端子金具とを異種金属としたが、本発明は、芯線と端子金具が同種の金属である場合にも適用できる。
【符号の説明】
【００４８】
１０…コネクタハウジング
１１…ハウジング本体
１２…キャビティ
１５…収容空間
１６…リテーナ
１９…規制部
２０…ヒンジ
２１…注入孔
３２…端子接続部
３０…電線付き端子金具
３１…端子金具
３４…電線接続部
４０…電線
４１…芯線
４２…絶縁被覆
４５…防食用液剤
【図１】
0005505038.tif 000002
【図２】
0005505038.tif 000003
【図３】
0005505038.tif 000004
【図４】
0005505038.tif 000005
【図５】
0005505038.tif 000006